(57)【要約】【課題】操作部のいたずらを防止するために設けられるキャップの固定力をさらに強固にし簡単に外されることなく、いたずらによる誤操作を防止するとともに、キャップの取付け、取外し作業を簡便にする。【解決手段】誤操作防止キャップ装置は、操作部を覆うキャップと、平面部および頂点部を有してなるキャップを支持する支持体と、キャップを前記支持体に固定する固定部材で構成されて、固定部材をキャップの側面に設けたネジ孔から少なくとも２箇所締め込み、何れか一方が支持体の平面部、他方が頂点部を締め込んでキャップを固定する。【選択図】図１
2004270784.tif 000002
【特許請求の範囲】
【請求項１】
操作部を覆うキャップと、平面部および頂点部を有してなるキャップを支持する支持体と、キャップを前記支持体に固定する固定部材を備えた誤操作防止用キャップ装置において、キャップの側面に固定部材を螺合するためのネジ孔を少なくとも２箇所設けるとともに、ネジ孔を通じて何れか一方の固定部材が支持体の平面部、他方が頂点部を締め付けてキャップを固定されるような角度に配置したことを特徴とする誤操作防止用キャップ装置。
【請求項２】
前記支持体を正六角形状部に形成するとともに、少なくとも２本設けた前記固定部材の中心軸の交差角度が３０°、９０°または１５０°の何れかをなして前記キャップを前記支持体に固定することを特徴とする請求項１記載の誤操作防止用キャップ装置。
【請求項３】
前記支持体を正方形状部に形成するとともに、少なくとも２本設けた前記固定部材の中心軸の交差角度が４５°または１３５°何れかの角度をなして前記キャップを前記支持体に固定したことを特徴とする請求項１記載の誤操作防止用キャップ装置。
【請求項４】
流水路に設けられた止水または流量調節するための操作部と、前記操作部を覆うキャップと、平面部および頂点部を有してなるキャップを支持する支持体と、キャップを前記支持体に固定する固定部材を備えたバルブ装置において、キャップの側面に固定部材を螺合するためのネジ孔を少なくとも２箇所設けるとともに、ネジ孔を通じて何れか一方の固定部材が支持体の平面部、他方が頂点部を締め付けてキャップを固定されるような角度に配置したことを特徴とするバルブ装置。
【発明の詳細な説明】
【０００１】
【発明の属する技術分野】
本発明は、誤操作防止用キャップ装置およびこれを用いたバルブ装置に関する。
【０００２】
【従来の技術】
従来、水洗便器に洗浄水を供給する給水路には、止水栓や洗浄水を流す操作を行うためのフラッシュバルブが設けられている。これら止水栓やフラッシュバルブなどのバルブ装置には、通常、洗浄水の水量を調節するための調節手段が設けられている。図５に示すように、止水栓１００は、主流路１０１を有するボディ１０２と、ボディ１０２の開口を閉じる蓋体１０３と、主流路１０１に設けられた弁体１０４と、弁体１０４を進退させて止水または流量調節するスピンドル１０５とを備えている。止水栓１００では、主流路１０１の流入口１０６から加わる水道源の水圧が弁体１０４を押し上げて主流路１０１を水が流れる。
【０００３】
この止水栓１００において、止水または流量調節するには、スピンドル１０５の操作部１０５ａの溝１０５ｂにドライバ等の工具を合わせてスピンドル１０５を回転することにより、弁体１０４のストロークを調節することにより行なう。
【０００４】
しかし、操作部１０５ａが外部に露出しているため、公共施設などに水洗便器を設置した場合、いたずらなどにより操作部１０５ａが回転操作されることがある。このような操作部１０５ａの回転操作により、水洗便器への洗浄水が流れなくなったり、過剰に流れることになる。
【０００５】
このような対策として、図６のように止水栓１００の操作部１０５ａを覆うキャップ１０７と、キャップ１０７を支持する支持体１０８と、キャップ１０７と支持体１０８との間に介在する固定部材１０９とを備えている。キャップ１０７は、側壁１０７ａの内面全周にガイド溝１０７ｂと、キャップ１０７の外側から内側に向けて貫通する操作用透孔（図示しない）とを有している。固定部材１０９は、支持体１０８に固定されるとともに、操作用透孔１０７ｃを介してキャップ１０７を支持体１０８に対して抜止するように操作可能に構成するものがある（例えば、特許文献１参照のこと。）。
【０００６】
この他、支持体に固定部材を締め込む方法として他のものが挙げられる。この方法は、正六角形状の支持体に固定部材を締め込んで水栓本体を固定するものである（例えば、特許文献２参照のこと。）。
【０００７】
【特許文献１】
特開２００２−１４７６４６号公報
【特許文献２】
実開平４−１３４５７５号公報
【０００８】
【発明が解決しようとする課題】
しかし、この従来の誤操作防止キャップでは、固定部材１本で固定するため、キャップに異常な力が連続的に加わると固定部材が弛み易くなり、キャップが容易に取り外せてしまい、いたずらされるおそれがある。また、操作部にキャップを被せた後、蓋体に挿入された固定部材を所定の位置まで弛めるため、位置調整等の作業が煩わしいといった問題があった。
【０００９】
この他、支持体に固定部材を締め込む方法としてある正六角形状の支持体に固定部材を締め込んで水栓本体を固定するものでは、支持体の向きが不規則なため、固定部材は支持体の頂点を締め込む可能性があり、この場合に異常な力が繰り返し加わると固定部材が弛んで外れることになる。固定部材の軸の交差角度が１８０°で２本設けた場合でも支持体の頂点を締め込む可能性があり、同様の問題が考えられる。
【００１０】
本発明は、上記従来の技術の問題を解決するものであり、キャップの固定力をさらに強固にし簡単に外されることなく、いたずらによる誤操作を防止するとともに、キャップの取付け、取外し作業を簡便なものとした誤操作防止用キャップ装置およびバルブ装置を提供することを目的とする。
【００１１】
【課題を解決するための手段】
上記課題を解決するために請求項１は、操作部を覆うキャップと、平面部および頂点部を有してなるキャップを支持する支持体と、キャップを前記支持体に固定する固定部材を備えた誤操作防止用キャップ装置において、キャップの側面に固定部材を螺合するためのネジ孔を少なくとも２箇所設けるとともに、ネジ孔を通じて何れか一方の固定部材が支持体の平面部、他方が頂点部を締め付けてキャップを固定されるような角度に配置したことを特徴とした。
【００１２】
これにより、１箇所で固定するよりも強固に固定できる。また、支持体の方向性が如何なる場合でも、必ず一方の固定部材が平面部を締め込んでいるのでキャップは、強固に固定されて簡単に回転させることができない。仮に固定部材が弛んだ場合でもキャップを回転させる際に固定部材が支持体の頂点部に引っ掛かって、取外しが困難となり、容易にいたずら操作をさせない。
【００１３】
請求項２は、前記支持体を正六角形状部に形成するとともに、少なくとも２本設けた前記固定部材の中心軸の交差角度が３０°、９０°または１５０°の何れかをなして前記キャップを前記支持体に固定することを特徴とした。
【００１４】
これにより、支持体の方向性が如何なる場合でも、固定部材の一方が正六角形状の平面部、他方が頂点を締め込み、キャップを強固に固定することができ、容易には取り外せない。
【００１５】
請求項３は、前記支持体を正方形状部に形成するとともに、少なくとも２本設けた前記固定部材の中心軸の交差角度が４５°または１３５°何れかの角度をなして前記キャップを前記支持体に固定したことを特徴とした。
【００１６】
これにより、支持体の方向性が如何なる場合でも、固定部材の一方が正方形状の平面部、他方が頂点を締め込み、キャップを強固に固定することができ、容易には取り外せない。
【００１７】
請求項４は、流水路に設けられた止水または流量調節するための操作部と、前記操作部を覆うキャップと、平面部および頂点部を有してなるキャップを支持する支持体と、キャップを前記支持体に固定する固定部材を備えたバルブ装置において、キャップの側面に固定部材を螺合するためのネジ孔を少なくとも２箇所設けるとともに、ネジ孔を通じて何れか一方の固定部材が支持体の平面部、他方が頂点部を締め付けてキャップを固定されるような角度に配置したことを特徴とした。
【００１８】
これにより、キャップは、強固に固定されて簡単に回転させることができず、取り外しが困難となり、いたずらなどで操作部を容易に操作されないので洗浄水が流れなくなり、洗浄不良を起こしたり、過剰に流れるのを防止することができる。
【００１９】
【発明の実施の形態】
以上説明した本発明の構成・作用を一層明らかにするために、以下本発明の好適な実施例を水洗便器に使用するバルブ装置である止水栓を用いて説明する。
【００２０】
図１は、本発明のキャップを備えた止水栓を示した図である。図２は、キャップの断面を示した図である。図３は、支持体の形状に適したキャップのネジ孔の位置を示した図である。図４は、キャップに固定部材を締め込んだ状態を示した図である。
【００２１】
本発明に係る誤操作防止キャップを用いる止水栓１０は、図１に示すように主流路１１と流入口１２を有する止水栓本体１３と、流路を開閉する弁体１４と、弁体１４の開ストロークを規制するスピンドル１５と、スピンドル１５を上下動させるスクリュー１６と、スピンドル１５の状態を保持するスピンドルガイド１７と、スピンドルガイド１７を支える支持体１８とで構成されている。
【００２２】
支持体１８の外周面には、スクリュー１６を覆い隠すキャップ１９を螺合するための雄ネジ部１８ａを設けている。雄ネジ部１８ａの上方には支持体１８を止水栓本体１３に組付ける際の締付け用として、スパナ等の工具掛かり部１８ｂを設けている。
【００２３】
一般的に、止水栓１０において、止水あるいは流量調節する場合は、スクリュー１６に設けた溝１６ａにドライバ等の工具を合せて回転させるとスピンドル１５が上下動して弁体１４の開ストロークを調節する。
【００２４】
一方、図２に示すようにキャップ１９には、固定部材２０を螺合するためにキャップ１９の外側からキャップ１９の中心に向けて貫通したネジ孔１９ａを２箇所設けている。ネジ孔１９ａの配置は、固定部材２０の一方が、必ず支持体１８の平面部１８ｃを締め込むようにしている。そのため、一方が支持体１８の頂点部１８ｄを締め込んだとしても、他方が平面部１８ｃを締め込むので強固に固定される。仮に固定部材２０が弛んだとしても、キャップ１９を回転するときに固定部材２０が支持体１８の頂点部１８ｄに引っ掛かって取り外すことは困難である。この場合、支持体１８の工具掛かり部１８ｂと平面部１８ｃは同一箇所である。なお、頂点部１８ｄは、固定部材２０の大きさ（外径）に比べ小さい面取りまたは曲面加工がなされていれば、機能上問題ない。通常面取りはＣ１からＣ２で曲面加工はＲ１からＲ２である。
【００２５】
例えば、支持体１８が正六角形状であれば、図３の（ａ）に示すようにネジ孔１９ａの配置は、３０°、９０°または１５０°の何れかに設定するとよい。
また、支持体１８が正方形状であれば、図３の（ｂ）に示すようにネジ孔１９ａの配置は、４５°または１３５°の何れかに設定するとよい。
【００２６】
次に、支持体１８にキャップ１９を取付ける方法について説明する。まず、キャップ１９に設けた２箇所のネジ孔１９ａにキャップ１９を固定するための固定部材２０を仮止めしておく。給水路（図示しない）に取付けた止水栓１０のスクリュー１６で流水量の調節を終えた後、固定部材２０を仮止めした状態のキャップ１９を支持体１８に所定の位置まで締込み取付ける。その後、２箇所に仮止めした固定部材２０の締め付けように設けられた凹部に六角レンチ等の工具を用いて順次締込みキャップ１９を固定する。ここで、固定部材２０は、一般に用いられる止めネジ等である。
【００２７】
図４に支持体１８が正六角形状、正方形状とした場合のキャップ１９の固定状態を示すが、何れの場合も１箇所は支持体１８の平面部１８ｃ、他の箇所は頂点部１８ｄを締め込んでいる。尚、固定部材２０の締め込みの順序は前述に限定する必要はなく、キャップ１９を支持体１８に取付けた後に工具を用いて締込んでもよい。
【００２８】
図４の（ａ）では４個、図４の（ｂ）では３個の固定部材を示しているが、平坦部１８ｃを締め付ける固定部材２０ａと、頂点部１８ｄを締め付ける他の固定部材２０が１箇所以上あれば、目的を達せられる。すなわち、少なくとも２本以上の固定部材を締め込めばよい。
【００２９】
なお、固定部材２０を締め込む際、固定部材の軸が必ず支持体１８の平面部１８ｃや頂部１８ｄに対し垂直になるとは限らないが、最初に締め込む固定部材の１箇所が必ず平面部１８ｃを締め込むことになる。
例えば、支持体１８が正方形状の場合について説明する。図７に示した状態は、固定部材２０ａの軸が支持体１８の平面部１８ｃに対し垂直にならない状態である。この状態で固定部材２０ａを締め付けていくと固定部材２０ａの軸が平面部１８ｃに対し垂直になるようにキャップ１９が回転し、図４の（ｂ）に示した状態となり固定部材２０ａは必ず平面部１８ｃを締め込むことになる。
【００３０】
このようにして、固定部材２０を締め込むと、必ず１箇所は支持体１８の平面部１８ｃを締め込むため、キャップ２０に異常な力が繰り返し加わったとしても固定部材は弛みにくく、キャップ１９を取り外すことは困難である。
【００３１】
また、固定部材２０を六角レンチ等の工具を用いて締め込むだけで、キャップ１９を固定できるので、従来のような固定部材の調整が不要になり、取付け作業も簡便なものになる。
【００３２】
尚、この発明は上記実施例に限られるものではなく、その要旨を逸脱しない範囲において種々の態様において実施することが可能であり、例えば次のような変形も可能である。
【００３３】
支持体の断面形状を正方形、正六角形にした場合について説明したが、正八角形あるいは、円状に平面部を２箇所設けた形状であってもよく、夫々の形状に適応した位置（平面部と頂点部を締め込む）に固定部材を配置してもよい。
【００３４】
上記実施の形態では、止水栓に適用した構成について説明したが、これに限らず、いたずらによる操作を防止する必要がある操作部であれば、他のバルブ、例えばフラッシュバルブであってもよい。
【００３５】
さらに他の態様によれば、電気スイッチなどの操作部において、いたずら操作を防止する必要性の高い箇所に適用してもよい。
【００３６】
【発明の効果】
本発明によって、固定力をさらに強固にし簡単に外されることなく、いたずらによる誤操作を防止するとともに、キャップの取付け、取外し作業を簡便なものとした誤操作防止用キャップ装置およびバルブ装置を提供することができる。
【図面の簡単な説明】
【図１】本発明のキャップを備えた止水栓を示した図
【図２】キャップの断面を示した図
【図３】支持体の形状に適したキャップのネジ孔の位置を模式的に示した図
【図４】キャップに固定部材を締め込んだ状態を模式的に示した図
【図５】従来の止水栓を示した断面図
【図６】従来の誤操作防止キャップを備えた止水栓の断面図
【図７】キャップに固定部材を締め込み始めた状態を模式的に示した図
【符号の説明】
１０：止水栓
１１：主流路
１２：流入口
１３：止水栓本体
１４：弁体
１５：スピンドル
１６：スクリュー
１６ａ：溝
１７：スピンドルガイド
１８：支持体
１８ａ：雄ネジ部
１８ｂ：  工具掛かり部
１８ｃ：平面部
１８ｄ：頂点部
１９：キャップ
１９ａ：ネジ孔
２０：固定部材
２０ａ：固定部材
【図１】
2004270784.tif 000003
【図２】
2004270784.tif 000004
【図３】
2004270784.tif 000005
【図４】
2004270784.tif 000006
【図５】
2004270784.tif 000007
【図６】
2004270784.tif 000008
【図７】
2004270784.tif 000009